(57)【要約】【課題】高い精度で接続を制御することができること。【解決手段】通信サーバ装置１０は、接続実績情報記憶部１０５２が接続実績情報を記憶し、接続実績情報取得部１０６１は、通信端末装置２０から接続実績情報を取得し、接続実績情報記憶部１０５２に記憶させ、接続情報送信部１０６３は、接続情報を通信端末装置２０に送信する。一方、通信端末装置２０は、位置情報取得部２０６１ａが通信端末装置２０の位置情報を取得し、接続情報取得部２０６２は、接続情報を取得し、接続制御部２０６１は、位置情報と接続情報に基づいて無線アクセスポイントとの接続を制御する。【選択図】        図１
2005341311.tif 000002
【特許請求の範囲】
【請求項１】
接続情報に基づいて無線アクセスポイントを介して通信をする通信サーバ装置と通信端末装置とからなる移動体通信システムであって、
前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、
前記通信サーバ装置は、
前記接続情報を記憶する接続情報記憶手段と、
前記接続実績情報を取得し、前記接続情報記憶手段に記憶させる接続実績情報取得手段と、
前記接続情報を前記通信端末装置に送信する接続情報送信手段と、
を備え、
前記通信端末装置は、
前記通信端末装置の位置情報を取得する位置情報取得手段と、
前記接続情報を取得する接続情報取得手段と、
前記位置情報と前記接続情報に基づいて前記無線アクセスポイントとの接続を制御する接続制御手段と、
を備えたことを特徴とする移動体通信システム。
【請求項２】
前記接続実績情報取得手段は、前記通信端末装置および／または前記無線アクセスポイントから前記接続実績情報を取得することを特徴とする請求項１に記載の移動体通信システム。
【請求項３】
前記接続制御手段によって取得された接続実績情報を前記通信サーバ装置に送信する接続実績情報送信手段をさらに備えたことを特徴とする請求項１に記載の移動体通信システム。
【請求項４】
接続情報に基づいて無線アクセスポイントを介して通信端末装置と通信をする通信サーバ装置であって、
前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、
前記接続情報を記憶する接続情報記憶手段と、
前記接続実績情報を取得し、前記接続情報記憶手段に記憶させる接続実績情報取得手段と、
前記接続情報を前記通信端末装置に送信する接続情報送信手段と、
を備えたことを特徴とする通信サーバ装置。
【請求項５】
前記接続実績情報から時刻に依存しない接続実績情報を選別し、選別した接続実績情報に基づいて前記無線アクセスポイント情報を更新する無線アクセスポイント情報更新手段をさらに備えたことを特徴とする請求項４に記載の通信サーバ装置。
【請求項６】
接続情報に基づいて無線アクセスポイントを介して通信サーバ装置と通信をする通信端末装置であって、
前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、
前記通信端末装置の位置情報を取得する位置情報取得手段と、
前記接続情報を取得する接続情報取得手段と、
前記位置情報と前記接続情報に基づいて前記無線アクセスポイントとの接続を制御する接続制御手段と、
を備えたことを特徴とする通信端末装置。
【請求項７】
前記接続制御手段によって取得された接続実績情報を前記通信サーバ装置に送信する接続実績情報送信手段をさらに備えたことを特徴とする請求項６に記載の通信端末装置。
【請求項８】
前記接続情報取得手段は、前記無線アクセスポイントとの接続に関する前記通信端末装置の位置情報、前記通信端末装置の周囲の地理情報および／または時刻情報を前記接続情報として取得することを特徴とする請求項６に記載の通信端末装置。
【請求項９】
前記接続情報を記憶する接続情報記憶手段をさらに備え、
前記接続情報取得手段は、取得した接続情報を前記接続情報記憶手段に記憶させることを特徴とする請求項６または８に記載の通信端末装置。
【請求項１０】
前記接続実績情報に基づいて接続距離を算出する接続距離算出手段をさらに備え、
前記接続制御手段は、前記算出された接続距離に基づいて前記無線アクセスポイントとの接続を制御することを特徴とする請求項６〜９のいずれか一つに記載の通信端末装置。
【請求項１１】
前記接続情報取得手段は、前記通信サーバ装置、複数の前記無線アクセスポイント、前記通信端末装置の少なくともいずれか一つから複数の前記接続情報を取得し、
前記接続制御手段は、前記位置情報と前記複数の接続情報に基づいて前記複数の無線アクセスポイントとの接続を制御することを特徴とする請求項６に記載の通信端末装置。
【請求項１２】
前記接続情報記憶手段は、前記複数の接続情報を記憶し、
前記接続情報取得手段は、取得した複数の接続情報を前記接続情報記憶手段に記憶させることを特徴とする請求項１０に記載の通信端末装置。
【請求項１３】
ナビゲーション装置をさらに備え、
前記接続制御手段は、前記ナビゲーション装置から取得した経路案内情報と前記接続情報に基づいて前記無線アクセスポイントとの接続を制御することを特徴とする請求項６、７、１０、１１のいずれか一つに記載の通信端末装置。
【請求項１４】
通信アンテナをさらに備え、
前記接続制御手段は、前記通信アンテナの電界強度分布が最大となる方向を前記無線アクセスポイントの方向に向けるよう制御することを特徴とする請求項６、７、１０、１１のいずれか一つに記載の通信端末装置。
【請求項１５】
接続情報に基づいて通信サーバ装置と通信端末装置との通信を仲介する無線アクセスポイントであって、
前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、
前記接続情報を記憶する接続情報記憶手段と、
前記通信端末装置の位置情報を前記接続実績情報として受信し、前記接続情報記憶手段に記憶させる接続実績情報受信手段と、
前記接続情報を前記通信端末装置に送信する接続情報送信手段と、
を備えたことを特徴とする無線アクセスポイント。
【請求項１６】
前記接続実績情報を前記通信サーバ装置に送信する接続実績情報送信手段をさらに備えたことを特徴とする請求項１５に記載の無線アクセスポイント。
【請求項１７】
車両の経路案内を行うナビゲーション装置であって、
接続情報に基づいて無線アクセスポイントを介して通信サーバ装置と通信をする通信端末装置をさらに備え、
前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、
前記通信端末装置から前記接続情報を受信し、受信した接続情報を用いて前記車両の経路案内を行うことを特徴とするナビゲーション装置。
【発明の詳細な説明】
【技術分野】
【０００１】
この発明は、移動体通信システム、通信サーバ装置、通信端末装置、無線アクセスポイント、ナビゲーション装置に関し、特に高い精度で接続を制御することができる移動体通信システム、通信サーバ装置、通信端末装置、無線アクセスポイント、ナビゲーション装置に関するものである。
【背景技術】
【０００２】
従来、車両に搭載された通信端末装置の位置情報と基地局の位置情報から通信端末装置と基地局との通信が可能か否かを判断し、通信端末装置と基地局との接続を制御する移動体通信システムが知られている。かかる移動体通信システムでは、車両が基地局との接続が可能な領域に入ったことを何らかの手段で推定または検知して接続を制御していたが、通信端末装置と基地局の接続状態が車両の移動と共に通信端末装置の位置情報、通信端末装置の周囲の地理的状況、時刻に応じて動的に変化する場合は、必ずしも高い精度で接続を制御することができなかった。例えば、特許文献１では、通信端末装置から通知された位置情報を基地局が受信し、通信端末装置が通信端末装置の使用禁止領域内にあるか否かを検出して、使用禁止領域内にある場合は通信端末装置が接続を行わないように制御する移動体通信システムに関する従来技術が開示されている。
【０００３】
【特許文献１】特開平０５−１１０４９０号公報
【発明の開示】
【発明が解決しようとする課題】
【０００４】
特許文献１の従来技術では、通信端末装置から通知された位置情報を基地局が受信し、通信端末装置が通信端末装置の使用禁止領域内にあるか否かを検出して、使用禁止領域内にある場合は通信端末装置が接続を行わないように制御することができる。しかしながら、通信端末装置と基地局の接続状態が車両の移動と共に通信端末装置の位置情報、通信端末装置の周囲の地理的状況、時刻に応じて動的に変化する場合は、必ずしも高い精度で接続を制御することができないという課題は解決されなかった。
【０００５】
この発明は、上述した従来技術による問題点を解消するためになされたものであり、高い精度で接続を制御することができる移動体通信システム、通信サーバ装置、通信端末装置、無線アクセスポイントを提供することを目的とする。
【課題を解決するための手段】
【０００６】
上述した課題を解決し、目的を達成するため、請求項１の発明に係る移動体通信システムは、接続情報に基づいて無線アクセスポイントを介して通信をする通信サーバ装置と通信端末装置とからなる移動体通信システムであって、前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、前記通信サーバ装置は、前記接続情報を記憶する接続情報記憶手段と、前記接続実績情報を取得し、前記接続情報記憶手段に記憶させる接続実績情報取得手段と、を備え、前記通信端末装置は、前記通信端末装置の位置情報を取得する位置情報取得手段と、前記接続情報を取得する接続情報取得手段と、前記位置情報と前記接続情報に基づいて前記無線アクセスポイントとの接続を制御する接続制御手段と、前記接続制御手段によって取得された接続実績情報を前記通信サーバ装置に送信する接続実績情報送信手段と、を備えたことを特徴とする。
【０００７】
この請求項１の発明によれば、通信サーバ装置は、接続情報を記憶し、取得し、記憶させ、接続情報を通信端末装置に送信し、通信端末装置は、通信端末装置の位置情報を取得し、接続情報を取得し、位置情報と接続情報に基づいて無線アクセスポイントとの接続を制御することとしたので、移動体通信システムは、高い精度で接続を制御することができる。
【０００８】
また、請求項２の発明に係る移動体通信システムは、請求項１の発明において、前記接続実績情報取得手段は、前記通信端末装置および／または前記無線アクセスポイントから前記接続実績情報を取得することを特徴とする。
【０００９】
この請求項２の発明によれば、通信端末装置および／または無線アクセスポイントから接続実績情報を取得することとしたので、移動体通信システムは、取得した接続実績情報に基づいて高い精度で接続を制御することができる。
【００１０】
また、請求項３の発明に係る移動体通信システムは、請求項１の発明において、前記接続制御手段によって取得された接続実績情報を前記通信サーバ装置に送信する接続実績情報送信手段をさらに備えたことを特徴とする。
【００１１】
この請求項３の発明によれば、取得された接続実績情報を通信サーバ装置に送信することとしたので、移動体通信システムは、通信サーバ装置に送信した接続実績情報を通信端末装置と共有させ、さらに高い精度で接続を制御することができる。
【００１２】
また、請求項４の発明に係る通信サーバ装置は、接続情報に基づいて無線アクセスポイントを介して通信端末装置と通信をする通信サーバ装置であって、前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、前記接続情報を記憶する接続情報記憶手段と、前記接続実績情報を取得し、前記接続情報記憶手段に記憶させる接続実績情報取得手段と、前記接続情報を前記通信端末装置に送信する接続情報送信手段と、を備えたことを特徴とする。
【００１３】
この請求項４の発明によれば、接続情報を記憶し、取得し、記憶させ、接続情報を通信端末装置に送信することとしたので、通信サーバ装置は、接続情報を通信端末装置と共有することができ、さらに高い精度で接続を制御することができる。
【００１４】
また、請求項５の発明に係る通信サーバ装置は、請求項４の発明において、前記接続実績情報から時刻に依存しない接続実績情報を選別し、選別した接続実績情報に基づいて前記無線アクセスポイント情報を更新する無線アクセスポイント情報更新手段をさらに備えたことを特徴とする。
【００１５】
この請求項５の発明によれば、接続実績情報から時刻に依存しない接続実績情報を選別し、選別した接続実績情報に基づいて無線アクセスポイント情報を更新することとしたので、通信サーバ装置は、信頼度の高い接続実績情報に基づいて無線アクセスポイント情報を更新することができる。
【００１６】
また、請求項６の発明に係る通信端末装置は、接続情報に基づいて無線アクセスポイントを介して通信サーバ装置と通信をする通信端末装置であって、前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、前記通信端末装置の位置情報を取得する位置情報取得手段と、前記接続情報を取得する接続情報取得手段と、前記位置情報と前記接続情報に基づいて前記無線アクセスポイントとの接続を制御する接続制御手段と、を備えたことを特徴とする。
【００１７】
この請求項６の発明によれば、通信端末装置の位置情報を取得し、接続情報を取得し、位置情報と接続情報に基づいて無線アクセスポイントとの接続を制御することとしたので、通信端末装置は、無線アクセスポイントと接続できるか否かを判定することができ、さらに高い精度で接続を制御することができる。
【００１８】
また、請求項７の発明に係る通信端末装置は、請求項６の発明において、前記接続制御手段によって取得された接続実績情報を前記通信サーバ装置に送信する接続実績情報送信手段をさらに備えたことを特徴とする。
【００１９】
この請求項７の発明によれば、取得された接続実績情報を通信サーバ装置に送信することとしたので、通信端末装置は、通信サーバ装置に送信した接続実績情報を共有でき、さらに高い精度で接続を制御することができる。
【００２０】
また、請求項８の発明に係る通信端末装置は、請求項６の発明において、前記接続情報取得手段は、前記無線アクセスポイントとの接続に関する前記通信端末装置の位置情報、前記通信端末装置の周囲の地理情報および／または時刻情報を前記接続情報として取得することを特徴とする。
【００２１】
この請求項８の発明によれば、無線アクセスポイントとの接続に関する通信端末装置の位置情報、通信端末装置の周囲の地理情報および／または時刻情報を接続情報として取得することとしたので、通信端末装置は、無線アクセスポイントとの接続の状況が変化する場合でも、高い精度で接続を制御することができる。
【００２２】
また、請求項９の発明に係る通信端末装置は、請求項６または８の発明において、前記接続情報を記憶する接続情報記憶手段をさらに備え、前記接続情報取得手段は、取得した接続情報を前記接続情報記憶手段に記憶させることを特徴とする。
【００２３】
この請求項９の発明によれば、取得した接続情報を記憶させることとしたので、通信端末装置は、記憶した接続情報に基づいて高い精度で接続を制御することができる。
【００２４】
また、請求項１０の発明に係る通信端末装置は、請求項６〜９のいずれか一つの発明において、前記接続実績情報に基づいて接続距離を算出する接続距離算出手段をさらに備え、前記接続制御手段は、前記算出された接続距離に基づいて前記無線アクセスポイントとの接続を制御することを特徴とする。
【００２５】
この請求項１０の発明によれば、接続実績情報に基づいて接続距離を算出し、算出された接続距離に基づいて無線アクセスポイントとの接続を制御することとしたので、通信端末装置は、接続距離に基づいて高い精度で接続を制御することができる。
【００２６】
また、請求項１１の発明に係る通信端末装置は、請求項６の発明において、前記接続情報取得手段は、前記通信サーバ装置、複数の前記無線アクセスポイント、前記通信端末装置の少なくともいずれか一つから複数の前記接続情報を取得し、前記接続制御手段は、前記位置情報と前記複数の接続情報に基づいて前記複数の無線アクセスポイントとの接続を制御することを特徴とする。
【００２７】
この請求項１１の発明によれば、通信サーバ装置、複数の無線アクセスポイント、通信端末装置の少なくともいずれか一つから複数の接続情報を取得し、位置情報と複数の接続情報に基づいて複数の無線アクセスポイントとの接続を制御することとしたので、通信端末装置は、無線アクセスポイントごとの接続情報に基づいて高い精度で接続を制御することができる。
【００２８】
また、請求項１２の発明に係る通信端末装置は、請求項１０の発明において、前記接続情報記憶手段は、前記複数の接続情報を記憶し、前記接続情報取得手段は、取得した複数の接続情報を前記接続情報記憶手段に記憶させることを特徴とする。
【００２９】
この請求項１２の発明によれば、複数の接続情報を記憶し、取得した複数の接続情報を接続情報記憶手段に記憶させることとしたので、通信端末装置は、無線アクセスポイントごとの接続情報に基づいて高い精度で接続を制御することができる。
【００３０】
また、請求項１３の発明に係る通信端末装置は、請求項６、７、１０、１１のいずれか一つの発明において、ナビゲーション装置をさらに備え、前記接続制御手段は、前記ナビゲーション装置から取得した経路案内情報と前記接続情報に基づいて前記無線アクセスポイントとの接続を制御することを特徴とする。
【００３１】
この請求項１３の発明によれば、ナビゲーション装置から取得した経路案内情報と接続情報に基づいて無線アクセスポイントとの接続を制御することとしたので、通信端末装置は、ナビゲーション装置によって予め設定された自車両の経路情報に基づいて高い精度で接続を制御することができる。
【００３２】
また、請求項１４の発明に係る通信端末装置は、請求項６、７、１０、１１のいずれか一つの発明において、通信アンテナをさらに備え、前記接続制御手段は、前記通信アンテナの電界強度分布が最大となる方向を前記無線アクセスポイントの方向に向けるよう制御することを特徴とする。
【００３３】
この請求項１４の発明によれば、通信アンテナの電界強度分布が最大となる方向を無線アクセスポイントの方向に向けるよう制御することとしたので、通信端末装置は、無線アクセスポイントとの接続が容易となり、さらに高い精度で無線アクセスポイントとの接続を制御することができる。
【００３４】
また、請求項１５の発明に係る無線アクセスポイントは、接続情報に基づいて通信サーバ装置と通信端末装置との通信を仲介する無線アクセスポイントであって、前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、前記接続情報を記憶する接続情報記憶手段と、前記通信端末装置の位置情報を前記接続実績情報として受信し、前記接続情報記憶手段に記憶させる接続実績情報受信手段と、前記接続情報を前記通信端末装置に送信する接続情報送信手段と、を備えたことを特徴とする。
【００３５】
この請求項１５の発明によれば、接続情報を記憶し、通信端末装置の位置情報を接続実績情報として受信し、記憶させ、接続情報を通信端末装置に送信することとしたので、無線アクセスポイントは、記憶した接続実績情報を通信端末装置に送信でき、さらに高い精度で接続を制御することができる。
【００３６】
また、請求項１６の発明に係る無線アクセスポイントは、請求項１５の発明において、前記接続実績情報を前記通信サーバ装置に送信する接続実績情報送信手段をさらに備えたことを特徴とする。
【００３７】
この請求項１６の発明によれば、接続実績情報を通信サーバ装置に送信することとしたので、無線アクセスポイントは、通信サーバ装置に送信した無線アクセスポイントの接続実績情報を共有でき、さらに高い精度で接続を制御することができる。
【００３８】
また、請求項１７の発明に係るナビゲーション装置は、車両の経路案内を行うナビゲーション装置であって、接続情報に基づいて無線アクセスポイントを介して通信サーバ装置と通信をする通信端末装置をさらに備え、前記接続情報は、前記通信端末装置と前記無線アクセスポイントとの接続が可能か否かを判断する情報である無線アクセスポイント情報と、前記無線アクセスポイントとの接続ができた前記通信端末装置の位置情報である接続可能位置情報と前記無線アクセスポイントとの接続ができなかった前記通信端末装置の位置情報である接続不可位置情報とのいずれか一つを少なくとも含む接続実績情報とからなり、前記通信端末装置から前記接続情報を受信し、受信した接続情報を用いて前記車両の経路案内を行うことを特徴とする。
【００３９】
この請求項１７の発明によれば、接続情報に基づいて無線アクセスポイントを介して通信サーバ装置と通信をする通信端末装置から接続情報を受信し、受信した接続情報を用いて車両の経路案内を行うこととしたので、ナビゲーション装置は、無線アクセスポイントとの接続を考慮して経路を設定することができる。
【発明の効果】
【００４０】
請求項１の発明によれば、通信サーバ装置は、接続情報を記憶し、取得し、記憶させ、接続情報を通信端末装置に送信し、通信端末装置は、通信端末装置の位置情報を取得し、接続情報を取得し、位置情報と接続情報に基づいて無線アクセスポイントとの接続を制御するよう構成したので、移動体通信システムは、高い精度で接続を制御することができるという効果を奏する。
【００４１】
また、請求項２の発明によれば、通信端末装置および／または無線アクセスポイントから接続実績情報を取得するよう構成したので、移動体通信システムは、取得した接続実績情報に基づいて高い精度で接続を制御することができるという効果を奏する。
【００４２】
また、請求項３の発明によれば、取得された接続実績情報を通信サーバ装置に送信するよう構成したので、移動体通信システムは、通信サーバ装置に送信した接続実績情報を通信端末装置と共有させ、さらに高い精度で接続を制御することができるという効果を奏する。
【００４３】
また、請求項４の発明によれば、接続情報を記憶し、取得し、記憶させ、接続情報を通信端末装置に送信するよう構成したので、通信サーバ装置は、接続情報を通信端末装置と共有することができ、さらに高い精度で接続を制御することができるという効果を奏する。
【００４４】
また、請求項５の発明によれば、接続実績情報から時刻に依存しない接続実績情報を選別し、選別した接続実績情報に基づいて無線アクセスポイント情報を更新するよう構成したので、通信サーバ装置は、信頼度の高い接続実績情報に基づいて無線アクセスポイント情報を更新することができるという効果を奏する。
【００４５】
また、請求項６の発明によれば、通信端末装置の位置情報を取得し、接続情報を取得し、位置情報と接続情報に基づいて無線アクセスポイントとの接続を制御するよう構成したので、通信端末装置は、無線アクセスポイントと接続できるか否かを判定することができ、さらに高い精度で接続を制御することができるという効果を奏する。
【００４６】
また、請求項７の発明によれば、取得された接続実績情報を通信サーバ装置に送信するよう構成したので、通信端末装置は、通信サーバ装置に送信した接続実績情報を共有でき、さらに高い精度で接続を制御することができるという効果を奏する。
【００４７】
また、請求項８の発明によれば、無線アクセスポイントとの接続に関する通信端末装置の位置情報、通信端末装置の周囲の地理情報および／または時刻情報を接続情報として取得するよう構成したので、通信端末装置は、無線アクセスポイントとの接続の状況が変化する場合でも、高い精度で接続を制御することができるという効果を奏する。
【００４８】
また、請求項９の発明によれば、取得した接続情報を記憶させるよう構成したので、通信端末装置は、記憶した接続情報に基づいて高い精度で接続を制御することができるという効果を奏する。
【００４９】
また、請求項１０の発明によれば、接続実績情報に基づいて接続距離を算出し、算出された接続距離に基づいて無線アクセスポイントとの接続を制御するよう構成したので、通信端末装置は、接続距離に基づいて高い精度で接続を制御することができるという効果を奏する。
【００５０】
また、請求項１１の発明によれば、通信サーバ装置、複数の無線アクセスポイント、通信端末装置の少なくともいずれか一つから複数の接続情報を取得し、位置情報と複数の接続情報に基づいて複数の無線アクセスポイントとの接続を制御するよう構成したので、通信端末装置は、無線アクセスポイントごとの接続情報に基づいて高い精度で接続を制御することができるという効果を奏する。
【００５１】
また、請求項１２の発明によれば、複数の接続情報を記憶し、取得した複数の接続情報を接続情報記憶手段に記憶させるよう構成したので、通信端末装置は、無線アクセスポイントごとの接続情報に基づいて高い精度で接続を制御することができるという効果を奏する。
【００５２】
また、請求項１３の発明によれば、ナビゲーション装置から取得した経路案内情報と接続情報に基づいて無線アクセスポイントとの接続を制御するよう構成したので、通信端末装置は、ナビゲーション装置によって予め設定された自車両の経路情報に基づいて高い精度で接続を制御することができるという効果を奏する。
【００５３】
また、請求項１４の発明によれば、通信アンテナの電界強度分布が最大となる方向を無線アクセスポイントの方向に向けるよう制御するよう構成したので、通信端末装置は、無線アクセスポイントの接続が容易となり、さらに高い精度で無線アクセスポイントとの接続を制御することができるという効果を奏する。
【００５４】
また、請求項１５の発明によれば、接続情報を記憶し、通信端末装置の位置情報を接続実績情報として受信し、記憶させ、接続情報を通信端末装置に送信するよう構成したので、無線アクセスポイントは、記憶した接続実績情報を通信端末装置に送信でき、さらに高い精度で接続を制御することができるという効果を奏する。
【００５５】
また、請求項１６の発明によれば、接続実績情報を通信サーバ装置に送信するよう構成したので、無線アクセスポイントは、通信サーバ装置に送信した無線アクセスポイントの接続実績情報を共有でき、さらに高い精度で接続を制御することができるという効果を奏する。
【００５６】
また、請求項１７の発明によれば、接続情報に基づいて無線アクセスポイントを介して通信サーバ装置と通信をする通信端末装置から接続情報を受信し、受信した接続情報を用いて前記車両の経路案内を行うよう構成したので、ナビゲーション装置は、無線アクセスポイントとの接続を考慮して経路を設定することができるという効果を奏する。
【発明を実施するための最良の形態】
【００５７】
以下に添付図面を参照して、この発明に係る移動体通信システム、通信サーバ装置、通信端末装置、無線アクセスポイントの好適な実施の形態を詳細に説明する。ここでは、以下の実施例１〜４について説明する。
（１）実施例１は、通信端末装置が無線アクセスポイントとの接続実績情報を用いて通信サーバ装置と高い精度で接続を制御する場合について説明する。
（２）実施例２は、通信端末装置がナビゲーション装置の位置情報および経路情報を利用して通信サーバ装置と高い精度で接続を制御する場合について説明する。
（３）実施例３は、通信端末装置が複数の無線アクセスポイントとの接続情報を用いて通信サーバ装置と高い精度で接続を制御する場合について説明する。
（４）実施例４は、通信端末装置が無線アクセスポイントから取得した接続情報を用いて通信サーバ装置と高い精度で接続を制御する場合について説明する。
【実施例１】
【００５８】
本実施例１では、通信端末装置が無線アクセスポイントとの接続実績情報を用いて通信サーバ装置と高い精度で接続を制御する場合について説明する。ここでは、（１−１）移動体通信システムの概要と主要な特徴、（１−２）移動体通信システムの構成、（１−３）無線アクセスポイント情報、（１−４）接続実績情報、（１−５）通信端末装置と無線アクセスポイントとの接続手順、（１−６）無線アクセスポイント情報および接続実績情報の更新手順の順番で説明する。
【００５９】
（１−１）移動体通信システムの概要と主要な特徴
まず、図１を参照して、移動体通信システム１の概要と特徴について説明する。図１は、実施例１に係る移動体通信システム１の構成を示す機能ブロック図である。
【００６０】
同図に示すように、本実施例１に係る移動体通信システム１は、接続情報に基づいて無線アクセスポイント１６を介して通信をする通信サーバ装置１０と通信端末装置２０とからなる通信システムであり、高い精度で接続を制御することができることを特徴とする。
【００６１】
なお、接続情報は、通信端末装置２０と無線アクセスポイント１６との接続が可能か否かを判断する情報である無線アクセスポイント情報と、無線アクセスポイント１６との接続ができた通信端末装置２０の位置情報である接続可能位置情報と無線アクセスポイント１６との接続ができなかった通信端末装置２０の位置情報である接続不可位置情報とのいずれか一つを少なくとも含む接続実績情報とからなる。
【００６２】
通信サーバ装置１０は、接続実績情報記憶部１０５２が接続実績情報を記憶し、接続実績情報取得部１０６１は、通信端末装置２０から接続実績情報を取得し、接続実績情報記憶部１０５２に記憶させ、接続情報送信部１０６３は、接続情報を通信端末装置２０に送信する。一方、通信端末装置２０は、位置情報取得部２０６１ａが通信端末装置２０の位置情報を取得し、接続情報取得部２０６２は、接続情報を取得し、接続制御部２０６１は、位置情報と接続情報に基づいて無線アクセスポイントとの接続を制御する。したがって、移動体通信システム１は、通信サーバ装置１０と通信端末装置２０との通信を通して蓄積した接続実績情報に基づいて通信サーバ装置１０と通信端末装置２０との接続の確実性を高め、高い精度で接続を制御することができる。
【００６３】
（１−２）移動体通信システムの構成
図１に示すように、実施例１に係る移動体通信システムは、通信サーバ装置１０、ネットワーク１５、無線アクセスポイント１６、通信端末装置２０、無線機２２、ＧＰＳ受信装置２４を有する。通信サーバ装置１０は、無線ＬＡＮのアクセスポイント、ＰＨＳの基地局、携帯電話の基地局、音声、映像およびデータに関する移動体放送局の少なくともいずれか一つを管理するサーバ装置である。また、ネットワーク１５は、ＴＣＰ／ＩＰプロトコルに基づいて通信を行うネットワークであり、インターネット、ＬＡＮ、専用回線などである。また、無線アクセスポイント１６は、通信端末装置２０と無線を介して接続する無線装置であり、アンテナ１６１１を有する。
【００６４】
通信端末装置２０は、無線機２２を介して無線アクセスポイント１６と接続し、通信サーバ装置１０と通信を行う通信装置である。また、無線機２２は、無線アクセスポイント１６を介して通信サーバ装置１０と通信をする通信装置である。また、ＧＰＳ受信装置２４は、ＧＰＳ衛星から測位信号を受信して、測位情報を取得する受信装置である。
【００６５】
ここで、図１に示す通信サーバ装置１０についてさらに詳細に説明する。図１に示す通信サーバ装置１０は、ＩＦ部１０１、入力部１０３、出力部１０４、記憶部１０５、制御部１０６を有する。ＩＦ部１０１は、ネットワーク１５との通信インタフェースであり、具体的にはネットワークインタフェースカード（ＮＩＣ）である。
【００６６】
入力部１０３は、ユーザの要求、指示またはデータを入力する入力装置であり、具体的にはキーボード、マウスなどである。また、出力部１０４は、接続情報などのデータを表示する表示装置であり、具体的には、ＬＣＤ（Ｌｉｑｕｉｄ  Ｃｒｙｓｔａｌ  Ｄｉｓｐｌａｙ）などである。
【００６７】
記憶部１０５は、ＨＤＤ（Ｈａｒｄ  Ｄｉｓｋ  Ｄｒｉｖｅｒ）などの記憶装置であり、無線アクセスポイント情報記憶部１０５１、接続実績情報記憶部１０５２を有する。無線アクセスポイント情報記憶部１０５１は、通信端末装置２０と無線アクセスポイント１６との接続が可能か否かを判断する情報である無線アクセスポイント情報を記憶する記憶部である。また、接続実績情報記憶部１０５２は、無線アクセスポイント１６との接続ができた通信端末装置２０の位置情報である接続可能位置情報と無線アクセスポイント１６との接続ができなかった通信端末装置２０の位置情報である接続不可位置情報とのいずれか一つを少なくとも含む接続実績情報を記憶する記憶部である。なお、無線アクセスポイント情報と接続実績情報については別途詳細に説明する。
【００６８】
制御部１０６は、通信サーバ装置１０の全体を制御する制御部であり、接続実績情報取得部１０６１、無線アクセスポイント情報更新部１０６２、接続情報送信部１０６３を有する。接続実績情報取得部１０６１は、通信端末装置２０から接続実績情報を取得し、接続実績情報記憶部１０５２に記憶させる取得部である。
【００６９】
無線アクセスポイント更新部１０６２は、接続実績情報から時刻に依存しない接続実績情報を選別し、選別した接続実績情報に基づいて無線アクセスポイント情報を更新する更新部である。例えば、無線アクセスポイント更新部１０６２は、通信端末装置２０が接続可能領域にありながら常に接続することができない接続不可位置情報を接続不可エリア情報として無線アクセスポイント情報記憶部１０５１に追加し、更新する。
【００７０】
このように、無線アクセスポイント更新部１０６２は、接続実績情報から時刻に依存しない接続実績情報を選別し、選別した接続実績情報に基づいて無線アクセスポイント情報を更新することとしたので、通信サーバ装置１０は、信頼度の高い接続実績情報に基づいて無線アクセスポイント情報を更新することができる。また、接続情報送信部１０６３は、接続情報を通信端末装置２０に送信する送信部である。
【００７１】
続いて、図１に示す通信端末装置２０についてさらに詳細に説明する。図１に示す通信端末装置２０は、ＩＦ部２０１、ＩＦ部２０２、入力部２０３、出力部２０４、記憶部２０５、制御部２０６を有する。ＩＦ部２０１は、無線機２２に対する通信端末装置２０の通信データインタフェースである。また、ＩＦ部２０２は、ＧＰＳ受信装置２４に対する測位データインタフェースである。
【００７２】
入力部２０３は、ユーザの要求、指示を入力する入力装置であり、具体的にはテンキー、ボタンなどである。また、出力部２０４は、接続情報などのデータを表示する表示装置であり、具体的には、ＬＣＤなどである。
【００７３】
記憶部２０５は、ＨＤＤなどの記憶装置であり、無線アクセスポイント情報記憶部２０５１、接続実績情報記憶部２０５２を有する。無線アクセスポイント情報記憶部２０５１は、通信端末装置２０と無線アクセスポイント１６との接続が可能か否かを判断する情報である無線アクセスポイント情報を記憶する記憶部である。また、接続実績情報記憶部２０５２は、無線アクセスポイント１６との接続ができた通信端末装置２０の位置情報である接続可能位置情報と無線アクセスポイント１６との接続ができなかった通信端末装置２０の位置情報である接続不可位置情報とのいずれか一つを少なくとも含む接続実績情報を記憶する記憶部である。なお、無線アクセスポイント情報と接続実績情報については別途詳細に説明する。
【００７４】
制御部２０６は、通信端末装置２０の全体を制御する制御部であり、接続制御部２０６１、接続情報取得部２０６２、接続実績情報送信部２０６３、時刻計測部２０６４を有する。接続制御部２０６１は、位置情報と接続情報に基づいて無線アクセスポイント１６との接続を制御する制御部であり、位置情報取得部２０６１ａ、接続距離算出部２０６１ｂを有する。位置情報取得部２０６１ａは、ＧＰＳ受信装置２４の測位データから通信端末装置２０の位置情報を取得する取得部である。また、接続距離算出部２０６１ｂは、通信端末装置２０の位置情報または接続実績情報に基づいて無線アクセスポイント１６との接続距離を算出する算出部である。
【００７５】
接続情報取得部２０６２は、無線アクセスポイント１６との接続に関する通信端末装置２０の位置情報、通信端末装置２０の周囲の地理情報および／または時刻情報を接続情報として取得する。また、接続情報取得部２０６２は、無線アクセスポイント１６を介して通信サーバ装置１０から接続情報を受信する。また、接続情報取得部２０６２は、無線機２２によって他車両から接続情報を受信する。また、接続情報取得部２０６２は、取得した接続情報を無線アクセスポイント情報記憶部２０５１または接続実績情報記憶部２０５２に記憶させる。
【００７６】
接続実績情報送信部２０６３は、接続制御部２０６１によって取得された接続実績情報を通信サーバ装置１０に送信する送信部である。また、時刻計測部２０６４は、時刻を計測する計測部である。
【００７７】
（１−３）無線アクセスポイント情報
次に、図２を参照して、図１に示す無線アクセスポイント情報記憶部１０５１、２０５１が記憶する無線アクセスポイント情報について説明する。図２は、図１に示す無線アクセス情報記憶部１０５１、２０５１が記憶する無線アクセスポイント情報を示す図である。同図に示すように、無線アクセスポイント情報は、無線アクセスポイント識別情報、無線アクセスポイント位置情報、接続可能距離情報、接続可能時間情報、接続不可エリア情報を有する。
【００７８】
無線アクセスポイント識別情報は、無線アクセスポイント１６を識別する識別記号であり、ＡＰ１，ＡＰ２、ＡＰ３などである。また、無線アクセスポイント位置情報は、無線アクセスポイント１６の地図上の座標位置（Ｘ、Ｙ、Ｚ）であり、（Ｘ１、Ｙ１、Ｚ１）、（Ｘ２、Ｙ２、Ｚ２）、（Ｘ３、Ｙ３、Ｚ３）などである。
【００７９】
接続可能距離情報は、無線アクセスポイント１６から無線が到達する距離であり、Ｒ１、Ｒ２、Ｒ３などである。通信端末装置２０が無線アクセスポイント１６と接続を開始する場合は、位置情報取得部２０６１ａが自車両の位置情報を取得する。そして、接続距離算出部２０６１ｂが自車両の位置情報と図２に示す無線アクセスポイント１６の位置情報から自車両と無線アクセスポイント１６の接続距離Ｒを求め、接続制御部２０６１は、接続距離Ｒが図２に示す接続可能距離情報Ｒ１、Ｒ２、Ｒ３に比べて小さい場合に接続を開始する。
【００８０】
接続可能時間情報は、無線アクセスポイント１６が接続動作をすることができる接続可能時間である。無線アクセスポイントが設置されている施設や店舗などの都合によって接続可能時間が制約される場合は、接続可能時間以外では自車両が接続可能位置にあっても接続できない。したがって、接続制御部２０６１は、自車両が接続可能領域にあり、かつ接続可能時間である場合に接続を開始すると、接続精度を向上できる。
【００８１】
接続不可エリア情報は、無線アクセスポイント１６の周辺の接続できないエリアの詳細情報であり、例えば、無線アクセスポイント１６が設置されている施設や店舗の周辺の接続可能領域であっても地下駐車場やトンネルなど接続できないエリアの情報である。したがって、接続制御部２０６１は、自車両が接続可能領域にあり、かつ接続不可エリアでない場合に接続を開始すると、接続精度を向上できる。
【００８２】
（１−４）接続実績情報
次に、図３を参照して、図１に示す接続実績情報記憶部１０５２、２０５２が記憶する接続実績情報について説明する。図３は、図１に示す接続実績情報記憶部１０５２、２０５２が記憶する接続実績情報を示す図である。
【００８３】
同図に示すように、接続実績情報は、無線アクセスポイント１６との接続ができた通信端末装置２０の位置情報である接続可能位置情報と無線アクセスポイント１６との接続ができなかった通信端末装置２０の位置情報である接続不可位置情報とのいずれか一つを少なくとも含む情報である。具体的には、接続実績情報は、自車両位置情報、接続時刻および接続結果からなる。接続結果が“可”となっている自車両位置情報が接続可能位置情報であり、接続結果が“不可”となっている自車両位置情報が接続不可位置情報である。ここで、図４を参照して、図３に示す接続実績情報をさらに詳細に説明する。図４は、図３に示す接続実績情報をさらに具体的に示す図である。
【００８４】
同図に示すように、接続可能領域は、無線アクセスポイント１６の電波の到達距離から理論的に算出された領域である。一方、接続実績領域は、通信端末装置２０が実際に無線アクセスポイント１６と接続を行った接続実績情報に基づいて割り出された領域である。したがって、位置Ａは、通信端末装置２０が無線アクセスポイント１６と接続することができなかった接続不可位置であり、位置Ｂは、通信端末装置２０が無線アクセスポイント１６と接続することができた接続可能位置である。
【００８５】
接続可能位置は、接続を行って初めて分かる位置情報であり、接続を行っていない場所では得られない情報である。そのため、自車両の現在位置が接続できるか否かは接続可能位置だけでは判断できない。したがって、接続できなかった位置を接続不可位置として記憶して、接続制御部２０６１は、自車両の現在位置が接続可能距離にあり、かつ接続不可位置でない場合に接続を開始すると、接続精度を向上できる。
【００８６】
接続実績情報は、多ければ多いほど接続の精度は向上する。多くの位置情報を取得するためには、自車両の通信端末装置２０だけではなく、他車両の通信端末装置２０の接続実績情報を利用することが効果的である。したがって、通信端末装置２０は、通信サーバ装置１０に接続実績情報を送信し、記憶する。通信サーバ装置１０に記憶された接続実績情報は、全ての車両の通信端末装置２０に送信され、共有される。
【００８７】
ここで、図５を参照して、図１に示す通信端末装置２０−１、２０−２が車間通信で互いの接続実績情報を交換する場合について説明する。図５は、図１に示す通信端末装置２０−１、２０−２が車間通信で互いの接続実績情報を交換する場合を示す図である。図５に示す通信端末装置２０−１は、通信端末装置２０−２に対して接続実績情報を送信し、通信端末装置２０−２は、受信した接続実績情報を記憶する。そして、通信端末装置２０−２は、接続実績情報を用いることにより高い精度で接続を制御できる。
【００８８】
さらに、図６を参照して、図１に示す通信端末装置２０が接続実績情報を用いて接続可能距離情報を更新する場合について説明する。図６は、図１に示す通信端末装置２０が接続実績情報を用いて接続可能距離情報を更新する場合を示す図である。通信端末装置２０は、接続実績情報記憶部２０５２に記憶された接続可能位置情報と無線アクセスポイント情報記憶部２０５１に記憶された無線アクセスポイント位置情報から接続可能距離を求め、無線アクセスポイント情報記憶部２０５１に記憶された接続可能距離を更新し、精度を向上することができる。接続可能距離は、接続可能位置情報が多ければ多いほど精度が向上する。また、少ない接続実績情報でも接続の精度を向上できる。
【００８９】
（１−５）通信端末装置と無線アクセスポイントとの接続手順
次に、図７を参照して、図１に示す通信端末装置２０と無線アクセスポイント１６との接続手順について説明する。図７は、図１に示す通信端末装置２０と無線アクセスポイント１６との接続手順を示すフローチャートである。同図に示すように、通信端末装置２０が起動する（ステップＳ８０１）。このとき、通信サーバ装置１０も起動している（ステップＳ８０２）。そして、通信端末装置２０の位置情報取得部２０６１ａは、ＧＰＳ受信装置２４から自車両の位置情報を取得する（ステップＳ８０３）。
【００９０】
さらに、接続制御部２０６１は、無線機２２のアンテナ２２１を無線アクセスポイント１６に指向させ（ステップＳ８０４）、接続距離算出部２０６１ｂは、無線アクセスポイント１６との接続距離を算出する（ステップＳ８０５）。そして、接続制御部２０６１は、接続実績情報記憶部２０５２に記憶された接続実績情報があるか否かを調べる（ステップＳ８０６）。その結果、接続実績情報がある場合は（ステップＳ８０６肯定）、接続距離算出部２０６１ｂは、接続実績情報から接続可能距離を算出し（ステップＳ８０７）、無線アクセスポイント情報記憶部２０５１に記憶されている無線アクセスポイント情報の接続可能距離を更新する（ステップＳ８０８）。
【００９１】
一方、接続実績情報がない場合は（ステップＳ８０６否定）、接続制御部２０６１は、さらに接続距離が無線アクセスポイント情報の接続可能距離以内であるか否かを調べる（ステップＳ８０９）。その結果、接続距離が無線アクセスポイント情報の接続可能距離以内でない場合は（ステップＳ８０９否定）、接続制御部２０６１は、本手順を終了する。
【００９２】
一方、接続距離が無線アクセスポイント情報の接続可能距離以内である場合は（ステップＳ８０９肯定）、接続制御部２０６１は、さらに無線アクセスポイント１６との接続が接続可能時間であるか否かを調べる（ステップＳ８１０）。その結果、無線アクセスポイント１６との接続が接続可能時間でない場合は（ステップＳ８１０否定）、接続制御部２０６１は、本手順を終了する。
【００９３】
一方、無線アクセスポイント１６との接続が接続可能時間である場合は（ステップＳ８１０肯定）、接続制御部２０６１は、さらに接続不可エリアであるか否かを調べる（ステップＳ８１１）。その結果、接続不可エリアである場合は（ステップＳ８１１肯定）、接続制御部２０６１は、本手順を終了する。
【００９４】
一方、接続不可エリアでない場合は（ステップＳ８１１否定）、接続制御部２０６１は、さら接続実績情報記憶部２０５２に記憶された接続不可位置情報から自車両の現在位置が接続不可位置であるか否かを調べる（ステップＳ８１２）。その結果、自車両の現在位置が接続不可位置である場合は（ステップＳ８１２肯定）、接続制御部２０６１は、本手順を終了する。
【００９５】
一方、自車両の現在位置が接続不可位置でない場合は（ステップＳ８１２否定）、接続制御部２０６１は、無線アクセスポイント１６と接続する（ステップＳ８１３）。そして、接続制御部２０６１は、無線アクセスポイント１６と接続したか否かを確認する（ステップＳ８１４）。その結果、無線アクセスポイント１６と接続した場合は（ステップＳ８１４肯定）、接続実績情報送信部２０６３は、無線アクセスポイント１６との接続実績情報を通信サーバ装置１０に個別に送信する（ステップＳ８１５）。そして、接続実績情報取得部１０６１は、通信端末装置２０から接続実績情報を個別に受信して、接続実績情報記憶部１０５２に記憶する（ステップＳ８１６）。同時に、接続制御部２０６１は、接続実績情報を個別に接続実績情報記憶部２０５２に記憶する（ステップＳ８１７）。
【００９６】
一方、無線アクセスポイント１６と接続できなかった場合は（ステップＳ８１４否定）、接続制御部２０６１は、接続不可位置情報を個別に記憶する（ステップＳ８１７）。このように、通信端末装置２０は、無線アクセスポイント情報および接続実績情報に基づいて無線アクセスポイント１６と接続を開始するか否かを判断することとしたので、高い精度で接続を制御することができる。なお、本手順では、通信端末装置２０は、接続可能位置情報を通信サーバ装置１０に送信することができるが、接続不可位置情報を送信することができなかったので、接続不可位置情報は別途まとめて通信サーバ装置１０に送信する。
【００９７】
（１−６）無線アクセスポイント情報および接続実績情報の更新手順
次に、図８を参照して、図１に示す通信端末装置２０の無線アクセスポイント情報および接続実績情報の更新手順について説明する。図８は、図１に示す通信端末装置２０の無線アクセスポイント情報および接続実績情報の更新手順を示すフローチャートである。なお、無線アクセスポイント情報および接続実績情報の更新手順は、定期的もしくは必要に応じて行われる。また、更新手順は、通常接続が確実に行われる場合、または接続実績のある場合に行われるので、図７に示す接続手順のステップＳ８０５〜ステップＳ８１３を省いている。
【００９８】
同図に示すように、通信端末装置２０が起動する（ステップＳ９０１）。このとき、通信サーバ装置１０も起動している（ステップＳ９０２）。そして、通信端末装置２０の位置情報取得部２０６１ａは、ＧＰＳ受信装置２４から自車両の位置情報を取得する（ステップＳ９０３）。さらに、接続制御部２０６１は、無線機２２のアンテナ２２１を無線アクセスポイント１６に指向させ（ステップＳ９０４）、無線アクセスポイントと接続する（ステップＳ９０５）。
【００９９】
そして、接続制御部２０６１は、無線アクセスポイント１６と接続したか否かを確認する（ステップＳ９０６）。その結果、無線アクセスポイント１６と接続できなかった場合は（ステップＳ９０６否定）、接続制御部２０６１は、接続不可位置情報を個別に記憶して本手順を終了する。
【０１００】
一方、無線アクセスポイント１６と接続した場合は（ステップＳ９０６肯定）、接続制御部２０６１は、無線アクセスポイント１６との接続実績情報を通信サーバ装置１０に個別に送信する（ステップＳ９０７）。そして、通信サーバ装置１０は、通信端末装置２０から接続実績情報を個別に受信して、接続実績情報記憶部２０５２に記憶する（ステップＳ９０８）。
【０１０１】
さらに、接続制御部２０６１は、無線アクセスポイント情報を更新するか否かをユーザに確認する（ステップＳ９０９）。その結果、無線アクセスポイント情報を更新する場合は（ステップＳ９０９肯定）、接続制御部２０６１は、無線アクセスポイント情報を通信サーバ装置１０に要求する（ステップＳ９１０）。これに対して、通信サーバ装置１０は、無線アクセスポイント情報を通信端末装置２０に送信する（ステップＳ９１１）。そして、接続情報取得部２０６２は、通信サーバ装置１０から無線アクセスポイント情報を受信して、無線アクセスポイント情報記憶部２０５１に記憶された無線アクセスポイント情報を更新する（ステップＳ９１２）。
【０１０２】
一方、無線アクセスポイント情報を更新しない場合は（ステップＳ９０９否定）、接続制御部２０６１は、さらに接続実績情報を更新するか否かをユーザに確認する（ステップＳ９１３）。その結果、接続実績情報を更新する場合は（ステップＳ９１３肯定）、接続制御部２０６１は、接続実績情報を通信サーバ装置１０に要求する（ステップＳ９１４）。これに対して、通信サーバ装置１０は、接続実績情報を通信端末装置２０に送信する（ステップＳ９１５）。そして、接続情報取得部２０６２は、通信サーバ装置１０から接続実績情報を取得して、接続実績情報記憶部２０５２に記憶された接続実績情報を更新し（ステップＳ９１６）、接続可能位置情報を個別に記憶する（ステップＳ９１７）。
【０１０３】
一方、接続実績情報を更新しない場合は（ステップＳ９１３否定）、接続制御部２０６１は、接続可能位置情報を個別に記憶する（ステップＳ９１７）。このように、通信端末装置２０は、無線アクセスポイント情報および接続実績情報を定期的または必要に応じて通信サーバ装置１０からダウンロードして、無線アクセスポイント情報記憶部２０５１および接続実績情報記憶部２０５２に記憶された無線アクセスポイント情報および接続実績情報を更新することにより、ユーザの手を煩わせることなく自動的に最新の情報を取得することができる。
【０１０４】
上述してきたように、本実施例１では、通信サーバ装置１０は、接続実績情報記憶部１０５２が接続実績情報を記憶し、接続実績情報取得部１０６１は、通信端末装置２０から接続実績情報を取得し、接続実績情報記憶部１０５２に記憶させ、接続情報送信部１０６３は、接続情報を通信端末装置２０に送信し、通信端末装置２０は、位置情報取得部２０６１ａが通信端末装置２０の位置情報を取得し、接続情報取得部２０６２は、接続情報を取得し、接続制御部２０６１は、位置情報と接続情報に基づいて無線アクセスポイント１６との接続を制御することとしたので、移動体通信システム１は、高い精度で接続を制御することができる。
【０１０５】
また、通信サーバ装置１０は、接続実績情報取得部１０６１が通信端末装置２０から接続実績情報を取得することとしたので、移動体通信システム１は、取得した接続実績情報に基づいて高い精度で接続を制御することができる。
【０１０６】
また、通信端末装置２０は、取得された接続実績情報を通信サーバ装置１０に送信することとしたので、移動体通信システム１は、通信サーバ装置１０に送信した接続実績情報を通信端末装置２０と共有させ、さらに高い精度で接続を制御することができる。
【０１０７】
また、接続実績情報記憶部１０５２が接続実績情報を記憶し、接続実績情報取得部１０６１は、通信端末装置２０から接続実績情報を取得し、接続実績情報記憶部１０５２に記憶させ、接続情報送信部１０６３は、接続情報を通信端末装置２０に送信することとしたので、通信サーバ装置１０は、接続情報を通信端末装置２０と共有することができ、さらに高い精度で接続を制御することができる。
【０１０８】
また、位置情報取得部２０６１ａは、通信端末装置２０の位置情報を取得し、接続情報取得部２０６２は、接続情報を取得し、接続制御部２０６１は、位置情報と接続情報に基づいて無線アクセスポイント１６との接続を制御することとしたので、通信端末装置２０は、無線アクセスポイント１６と接続できるか否かを判定することができ、さらに高い精度で接続を制御することができる。
【０１０９】
また、接続実績情報送信部２０６３は、接続制御部２０６１によって取得された接続実績情報を通信サーバ装置１０に送信することとしたので、通信端末装置２０は、通信サーバ装置１０に送信した接続実績情報を共有でき、さらに高い精度で接続を制御することができる。
【０１１０】
また、接続情報取得部２０６２は、無線アクセスポイント１６との接続に関する通信端末装置２０の位置情報、通信端末装置２０の周囲の地理情報および／または時刻情報を接続情報として取得することとしたので、通信端末装置２０は、無線アクセスポイント１６との接続の状況が変化する場合でも、高い精度で接続を制御することができる。
【０１１１】
また、接続情報取得部２０６２は、取得した接続情報を無線アクセス情報記憶部２０５１または接続実績情報記憶部２０５２に記憶させることとしたので、通信端末装置２０は、記憶した接続情報に基づいて高い精度で接続を制御することができる。
【０１１２】
また、接続距離算出部２０６１ｂは、接続実績情報に基づいて接続距離を算出し、接続制御部２０６１は、算出された接続距離に基づいて無線アクセスポイント１６との接続を制御することとしたので、通信端末装置２０は、接続距離に基づいて高い精度で接続を制御することができる。
【０１１３】
また、接続制御部２０６１は、アンテナ２２１の電界強度分布が最大となる方向を無線アクセスポイント１６の方向に向けるよう制御することとしたので、通信端末装置２０は、無線アクセスポイント１６との接続が容易となり、さらに高い精度で無線アクセスポイントとの接続を制御することができる。
【実施例２】
【０１１４】
実施例２では、通信端末装置がナビゲーション装置の位置情報および経路情報を利用して通信サーバ装置と高い精度で接続を制御する場合について説明する。ここでは、（２−１）移動体通信システムの構成、（２−２）通信端末装置と無線アクセスポイントとの接続手順の順番で説明する。なお、実施例１と共通の内容は説明を省略し、相違する内容について説明する。
【０１１５】
（２−１）移動体通信システムの構成
図９を参照して、実施例２に係る移動体通信システム１ａの構成について説明する。図９は、実施例２に係る移動体通信システム１ａの構成を示す機能ブロック図である。図１に示す実施例１の機能ブロック図との相違は、ＧＰＳ受信装置２４、ナビゲーション装置２６、ＩＦ部２０７、経路案内情報記憶部２０５３、経路案内情報取得部２０６５であるので、これらについて説明する。
【０１１６】
ＧＰＳ受信装置２４は、ＧＰＳ衛星から測位信号を受信して、測位情報を取得する受信装置である。また、ナビゲーション装置２６は、ＧＰＳ受信装置２４から取得した車両の位置情報と地図情報に基づいて車両の経路案内をする経路案内装置である。また、ＩＦ部２０７は、ナビゲーション装置２６の経路案内情報の入出力インタフェース部である。また、経路案内情報記憶部２０５３は、ナビゲーション装置２６から取得した自車両の位置情報および経路情報などの経路案内情報を記憶する記憶部である。また、経路案内情報取得部２０６５は、ナビゲーション装置２６から自車両の位置情報および経路情報などの経路案内情報を取得し、経路案内情報記憶部２０５３に記憶させる処理部である。
【０１１７】
ここで、図１０を参照して、図９に示すナビゲーション装置２６と連携して通信端末装置２０ａと無線アクセスポイント１６との接続を行う場合について説明する。図１０は、図９に示すナビゲーション装置２６と連携して通信端末装置２０ａと無線アクセスポイント１６との接続を行う場合を示す図である。同図に示すように、通信端末装置２０ａは、ナビゲーション装置２６と連携することにより予め自車両の走行経路が予測できるので無線アクセスポイント１６との接続が容易となる。
【０１１８】
一方、ナビゲーション装置２６は、通常目的地までの走行距離が最短となる経路Ｂを最適経路として設定する。しかし、ユーザによっては走行距離が最短となる経路Ｂよりも無線アクセスポイント１６との接続を優先する経路Ａを選択することが考えられる。このような場合、ナビゲーション装置２６は、無線アクセスポイント１６との接続を優先する経路Ａを最適経路として設定することができる。
【０１１９】
また、図１１を参照して、図９に示すナビゲーション装置２６の地図情報を利用して通信端末装置２０ａと無線アクセスポイント１６との接続を行う場合について説明する。図１１は、図９に示すナビゲーション装置２６の地図情報を利用して通信端末装置２０ａと無線アクセスポイント１６との接続を行う場合を示す図である。同図に示すように、通信端末装置２０ａは、ナビゲーション装置２６の地図情報から自車両が走行する経路Ａの区間Ａがトンネルであり、自車両から無線アクセスポイント１６に電波が届かないことが予測できるので、区間Ａでは接続を行わない。
【０１２０】
（２−２）通信端末装置と無線アクセスポイントとの接続手順
次に、図１２を参照して、図９に示す通信端末装置２０ａと無線アクセスポイント１６との接続手順について説明する。図１２は、図９に示す通信端末装置２０ａと無線アクセスポイント１６との接続手順を示すフローチャートである。図７に示す実施例１の接続手順との相違は、ステップＳ１３０１〜ステップＳ１３０６、ステップＳ１３１６であるので、これについて説明する。
【０１２１】
同図に示すように、通信端末装置２０ａが起動する（ステップＳ１３０１）。このとき、ナビゲーション装置２６も起動している（ステップＳ１３０２）。また、通信サーバ装置１０も起動している（ステップＳ１３０３）。そして、通信端末装置２０ａの経路案内情報取得部２０６５は、ナビゲーション装置２６に対し自車両の位置情報および経路情報を要求する（ステップＳ１３０４）。
【０１２２】
これに対して、ナビゲーション装置２６は、通信端末装置２０ａに自車両の位置情報および経路情報を送信する（ステップＳ１３０５）。そして、通信端末装置２０ａの経路案内情報取得部２０６５は、ナビゲーション装置２６から自車両の位置情報および経路情報を取得して、経路案内情報記憶部２０５３に記憶させる（ステップＳ１３０６）。
【０１２３】
これに続いて、接続制御部２０６１は、図７に示す実施例１の接続手順のステップＳ８０４〜ステップＳ８１２と同じステップＳ１３０７〜ステップＳ１３１５を実施する。そして、接続制御部２０６１は、経路案内情報記憶部２０５３に記憶された経路案内情報から自車両の現在位置に、例えばトンネルなどの接続障害があるか否かを調べる（ステップＳ１３１６）。その結果、自車両の現在位置に接続障害がある場合は（ステップＳ１３１６肯定）、接続制御部２０６１は、本手順を終了する。
【０１２４】
一方、自車両の現在位置に接続障害がない場合は（ステップＳ１３１６否定）、接続制御部２０６１は、無線アクセスポイント１６と接続する（ステップＳ１３１７）。このように、通信端末装置２０ａはナビゲーション装置２６の位置情報および経路情報を利用して高い精度で無線アクセスポイント１６との接続を制御することができる。
【０１２５】
上述してきたように、本実施例２では、接続制御部２０６１は、ナビゲーション装置２６から取得した経路案内情報と接続情報に基づいて無線アクセスポイント１６との接続を制御することとしたので、通信端末装置２０は、ナビゲーション装置２６によって予め設定された自車両の経路情報に基づいて高い精度で接続を制御することができる。
【０１２６】
ナビゲーション装置２６は、接続情報に基づいて無線アクセスポイント１６を介して通信サーバ装置１０と通信をする通信端末装置２０から接続情報を受信し、受信した接続情報を用いて車両の経路案内を行うこととしたので、無線アクセスポイント１６との接続を考慮して経路を設定することができる。
【実施例３】
【０１２７】
実施例３では、通信端末装置が複数の無線アクセスポイントとの接続情報を用いて通信サーバ装置と高い精度で接続を制御する場合について説明する。なお、実施例１と共通の内容は説明を省略し、相違する内容について説明する。
【０１２８】
図１３を参照して、実施例３に係る移動体通信システム１ｂの構成について説明する。図１３は、実施例３に係る移動体通信システム１ｂの構成を示す機能ブロック図である。図１に示す実施例１の機能ブロック図との相違は、通信サーバ装置１０ｂの記憶部１０５ｂ、無線アクセスポイント１６、１７、通信端末装置２０ｂの記憶部２０５ｂ、無線機２２、２３である。
【０１２９】
通信サーバ装置１０ｂの記憶部１０５ｂは、無線アクセスポイント１６、１７に関する無線アクセスポイント情報および接続実績情報を記憶する記憶部であり、無線アクセスポイント情報記憶部１０５１ｂ、接続実績情報記憶部１０５２ｂを有する。また、無線アクセスポイント１６、１７は、無線ＬＡＮ、ＰＨＳ、携帯電話などの異なる通信メディアを介して通信端末装置２０ｂの対応する無線機２２、２３と接続する無線装置である。
【０１３０】
通信端末装置２０ｂの記憶部２０５ｂは、無線アクセスポイント１６、１７に関する無線アクセスポイント情報および接続実績情報を記憶する記憶部であり、無線アクセスポイント情報記憶部２０５１ｂ、接続実績情報記憶部２０５２ｂを有する。また、無線機２２、２３は、無線ＬＡＮ、ＰＨＳ、携帯電話などの異なる通信メディアを介して通信サーバ装置１０ｂの対応する無線アクセスポイント１６、１７と接続する無線装置である。
【０１３１】
通信端末装置２０ｂが無線ＬＡＮ、ＰＨＳ、携帯電話などの異なる通信メディアを介して通信する複数の無線機２２、２３を備えている場合、無線機２２、２３に対応する無線アクセスポイント１６、１７も通信メディアごとに異なる。そこで、異なる通信メディアごとに無線アクセスポイント情報および接続実績情報を記憶部２０５ｂに記憶し、通信メディアごとに無線アクセスポイント情報および接続実績情報を切り替えて使用することにより、接続制御部２０６１は、複数の通信メディアごとに高い精度で接続を制御することができる。
【０１３２】
また、異なる通信メディアは異なる周波数帯、送信パワー、通信方式等を使用しているので、無線アクセスポイント１６、１７からの接続可能距離も異なる。そこで、異なる通信メディアごとに無線アクセスポイント情報、接続実績情報を記憶部２０５ｂに記憶し、通信メディアごとに無線アクセスポイント情報および接続実績情報を切り替えて使用することにより、接続制御部２０６１は、複数の通信メディアごとに高い精度で接続を制御することができる。
【０１３３】
上述してきたように、本実施例３では、接続情報取得部２０６２は、通信サーバ装置１０ｂ、複数の無線アクセスポイント１６、１７、通信端末装置の少なくともいずれか一つから複数の接続情報を取得し、接続制御部２０６１は、位置情報と複数の接続情報に基づいて複数の無線アクセスポイント１６、１７との接続を制御することとしたので、通信端末装置２０は、無線アクセスポイント１６、１７ごとの接続情報に基づいて高い精度で接続を制御することができる。
【０１３４】
また、接続情報取得部２０６２は、取得した複数の接続情報を無線アクセスポイント記憶部２０５１ｂまたは接続実績情報記憶部２０５２ｂに記憶させることとしたので、通信端末装置２０は、無線アクセスポイント１６、１７ごとの接続情報に基づいて高い精度で接続を制御することができる。
【実施例４】
【０１３５】
実施例４では、通信端末装置が無線アクセスポイントから取得した接続情報を用いて通信サーバ装置と高い精度で接続を制御する場合について説明する。なお、実施例１と共通の内容は説明を省略し、相違する内容について説明する。
【０１３６】
図１４を参照して、実施例４に係る移動体通信システム１ｃの構成について説明する。図１４は、実施例４に係る移動体通信システム１ｃの構成を示す機能ブロック図である。図１に示す実施例１の機能ブロック図との相違は、無線アクセスポイント１６である。実施例４の無線アクセスポイント１６は、接続情報に基づいて通信サーバ装置１０と通信端末装置２０との通信の仲介をするだけではなく、接続実績情報を取得し、または接続情報を通信端末装置２０に送信する無線装置である。
【０１３７】
同図に示すように、無線アクセスポイント１６は、通信部１６１、入力部１６３、出力部１６４、記憶部１６５、制御部１６６を有する。通信部１６１は、無線機２２を介して通信端末装置２０と通信をする通信部であり、アンテナ１６１１を有する。
【０１３８】
入力部１６３は、ユーザの要求、指示またはデータを入力する入力装置であり、具体的にはキーボード、マウスなどである。また、出力部１６４は、接続情報などのデータを表示する表示装置であり、具体的には、ＬＣＤなどである。
【０１３９】
記憶部１６５は、ＨＤＤなどの記憶装置であり、無線アクセスポイント情報記憶部１６５１、接続実績情報記憶部１６５２を有する。無線アクセスポイント情報記憶部１６５１は、通信端末装置２０と無線アクセスポイント１６との接続が可能か否かを判断する情報である無線アクセスポイント情報を記憶する記憶部である。また、接続実績情報記憶部１６５２は、無線アクセスポイント１６との接続ができた通信端末装置２０の位置情報である接続可能位置情報と無線アクセスポイント１６との接続ができなかった通信端末装置２０の位置情報である接続不可位置情報とのいずれか一つを少なくとも含む接続実績情報を記憶する記憶部である。
【０１４０】
制御部１０６は、通信サーバ装置１０の全体を制御する制御部であり、接続実績情報取得部１６６１、接続情報送信部１６６２、接続実績情報送信部１６６３を有する。接続実績情報取得部１６６１は、通信端末装置２０から接続実績情報を取得し、接続実績情報記憶部１６５２に記憶させる取得部である。また、接続情報送信部１６６２は、接続情報を通信端末装置２０に送信する送信部である。また、接続実績情報送信部１６６３は、接続実績情報を通信サーバ装置１０に送信する送信部である。
【０１４１】
このように、無線アクセスポイント１６は、接続情報に基づいて通信サーバ装置１０と通信端末装置２０との通信の仲介をするだけではなく、無線アクセスポイント１６と通信端末装置２０の接続実績情報を取得し、接続実績情報を送信できるので、通信端末装置２０は、接続実績情報を共有でき、さらに高い精度で接続を制御することができる。
【０１４２】
また、無線アクセスポイント１６は、接続実績情報を通信サーバ装置１０に送信することとしたので、通信サーバ装置１０は、通信サーバ装置１０が管理する全ての無線アクセスポイント１６の接続実績情報を記憶することができる。したがって、無線アクセスポイント１６は、通信サーバ装置１０によって記憶された全ての無線アクセスポイント１６の接続実績情報を共有でき、さらに高い精度で接続を制御することができる。
【０１４３】
上述してきたように、本実施例４では、接続実績情報記憶部１６５２は、接続実績情報を記憶し、接続実績情報取得部１６６１は、通信端末装置２０の位置情報を接続実績情報として受信し、接続実績情報記憶部１６５２に記憶させ、接続情報送信部１６６２は、接続情報を通信端末装置２０に送信することとしたので、無線アクセスポイント１６は、記憶した接続実績情報を通信端末装置２０に送信でき、さらに高い精度で接続を制御することができる。
【０１４４】
また、無線アクセスポイント１６は、接続実績情報を通信サーバ装置１０に送信することとしたので、無線アクセスポイント１６は、通信サーバ装置１０によって記憶された全ての無線アクセスポイント１６の接続実績情報を共有でき、さらに高い精度で接続を制御することができる。
【産業上の利用可能性】
【０１４５】
以上のように、本発明にかかる通信端末装置は、特に、移動体通信システムに適している。
【図面の簡単な説明】
【０１４６】
【図１】実施例１に係る移動体通信システムの構成を示す機能ブロック図である。
【図２】図１に示す無線アクセスポイント情報記憶部が記憶する無線アクセスポイント情報を示す図である。
【図３】図１に示す接続実績情報記憶部が記憶する接続実績情報を示す図である。
【図４】図３に示す接続実績情報をさらに具体的に示す図である。
【図５】図１に示す通信端末装置が車間通信で互いの接続実績情報を交換する場合を示す図である。
【図６】図１に示す通信端末装置が接続実績情報を用いて接続可能距離情報を更新する場合を示す図である。
【図７】図１に示す通信端末装置と無線アクセスポイントとの接続手順を示すフローチャートである。
【図８】図１に示す通信端末装置の無線アクセスポイント情報および接続実績情報の更新手順を示すフローチャートである。
【図９】実施例２に係る移動体通信システムの構成を示す機能ブロック図である。
【図１０】図９に示すナビゲーション装置と連携して通信端末装置と無線アクセスポイントとの接続を行う場合を示す図である。
【図１１】図９に示すナビゲーション装置の地図情報を利用して通信端末装置と無線アクセスポイントとの接続を行う場合を示す図である。
【図１２】図９に示す通信端末装置と無線アクセスポイントとの接続手順を示すフローチャートである。
【図１３】実施例３に係る移動体通信システムの構成を示す機能ブロック図である。
【図１４】実施例４に係る移動体通信システムの構成を示す機能ブロック図である。
【符号の説明】
【０１４７】
１、１ａ、１ｂ、１ｃ    移動体通信システム
１０、１０ｂ    通信サーバ装置
１５    ネットワーク
１６、１７    無線アクセスポイント
２０、２０−１、２０−２、２０ａ、２０ｂ    通信端末装置
２２、２３    無線機
２４    ＧＰＳ受信機
２６    ナビゲーション装置
１０１、２０１、２０２、２０７、２０８    ＩＦ部
１０３、１６３、２０３    入力部
１０４、１６４、２０４    出力部
１０５、１０５ｂ、１６５、２０５、２０５ｂ    記憶部
１０６、１６６、２０６    制御部
１６１    通信部
１７１、２２１、２３１、２４１、１６１１    アンテナ
１０５１、１０５１ｂ、１６５１、２０５１、２０５１ｂ    無線アクセスポイント記憶部
１０５２、１０５２ｂ、１６５２、２０５２、２０５２ｂ    接続実績情報記憶部
１０６１、１６６１    接続実績情報取得部
１０６２    無線アクセスポイント情報更新部
１０６３、１６６２    接続情報送信部
１６６３    接続実績情報送信部
２０５３    経路案内情報記憶部
２０６１    接続制御部
２０６１ａ    位置情報取得部
２０６１ｂ    接続距離算出部
２０６２    接続情報取得部
２０６３    接続実績情報送信部
２０６４    時刻計測部
２０６５    経路案内情報取得部
【図１】
2005341311.tif 000003
【図２】
2005341311.tif 000004
【図３】
2005341311.tif 000005
【図４】
2005341311.tif 000006
【図５】
2005341311.tif 000007
【図６】
2005341311.tif 000008
【図７】
2005341311.tif 000009
【図８】
2005341311.tif 000010
【図９】
2005341311.tif 000011
【図１０】
2005341311.tif 000012
【図１１】
2005341311.tif 000013
【図１２】
2005341311.tif 000014
【図１３】
2005341311.tif 000015
【図１４】
2005341311.tif 000016